(57)【要約】【課題】  複数の異なる光電変換特性を有する撮像素子を用いた撮像に際して、主被写体の露出を適正にし、且つ、画像全体の露出も両立させた撮像の可能な撮像装置を提供すること。【解決手段】  ＡＦ情報と測光情報を基に、主被写体の属する測光エリアの輝度範囲が線形の光電変換特性となるようにダイナミックレンジを制御して撮像することで、主被写体の露出を適正にし、且つ、画像全体の露出も両立させた撮像の可能な撮像装置を提供することができる。【選択図】        図１
2006352534.tif 000002
【特許請求の範囲】
【請求項１】
特定の光電変換特性を有する撮像素子と、
複数の測光エリアを有する測光部とを備えた撮像装置において、
主被写体の属する測光エリアの測光情報に基づいて、前記撮像素子の露出の制御を行う露出制御部と、
主被写体の属する測光エリアの測光情報に基づいて、前記撮像素子のダイナミックレンジの制御を行うダイナミックレンジ制御部と、
前記露出制御部に露出を制御させ、前記ダイナミックレンジ制御部にダイナミックレンジを制御させて、前記撮像素子による撮像を行う撮像制御部とを有し、
前記ダイナミックレンジ制御部は、主被写体の属する測光エリアの輝度範囲が線形の光電変換特性となるようにダイナミックレンジを制御することを特徴とする撮像装置。
【請求項２】
前記ダイナミックレンジ制御部は、前記撮像素子の出力が所定の出力を超える場合、画面全体の測光情報に基づいて、画面全体の最大輝度が前記撮像素子の所定の出力となるようにダイナミックレンジを制御することを特徴とする請求項１に記載の撮像装置。
【請求項３】
前記ダイナミックレンジ制御部は、前記撮像素子の出力が所定の出力を超える場合、既定のダイナミックレンジとなるようにダイナミックレンジを制御することを特徴とする請求項１に記載の撮像装置。
【請求項４】
前記特定の光電変換特性を有する撮像素子は、入射光量に応じた電気信号を発生すると共に、前記入射光量に対して電気信号が線形的に変換されて出力される線形特性領域と、前記入射光量に対して電気信号が対数的に変換されて出力される対数特性領域とからなる光電変換特性を有する撮像素子であることを特徴とする請求項１乃至３の何れか１項に記載の撮像装置。
【請求項５】
前記特定の光電変換特性を有する撮像素子は、露光量の異なる複数の画面から適正レベルの画面部分を選択して合成することにより、個々の画面よりも広いダイナミックレンジの画像を合成する撮像素子であることを特徴とする請求項１乃至３の何れか１項に記載の撮像装置。
【請求項６】
前記特定の光電変換特性を有する撮像素子は、前記撮像素子の光電変換信号電荷を信号電圧に変換する電荷電圧変換部を持ち、前記電荷電圧変換部は異なる電圧依存性を有する複数の容量からなり、ダイナミックレンジが可変な撮像素子であることを特徴とする請求項１乃至３の何れか１項に記載の撮像装置。
【発明の詳細な説明】
【技術分野】
【０００１】
本発明は、撮像装置に関し、特に、特定の光電変換特性を有する撮像素子を備え、露出とダイナミックレンジの両方を制御して撮像を行う撮像装置に関する。
【背景技術】
【０００２】
従来、撮像装置の代表例であるデジタルカメラにおいては、線形の光電変換特性を持つＣＣＤ（Ｃｈａｒｇｅ  Ｃｏｕｐｌｅｄ  Ｄｅｖｉｃｅ：電荷結合素子）等の撮像素子が用いられている。線形の光電変換特性を持つ撮像素子のダイナミックレンジは、被写体の持つダイナミックレンジに比べて非常に狭いため、従来のデジタルカメラでは種々の露出モード（例えば、プログラムＡＥモードや絞り優先ＡＥモード、シャッター速度優先ＡＥモード等）を有し（例えば、非特許文献１参照）、撮影シーンにあわせてこれらのモードを使い分けて撮影していたが、撮像者の意図に合致した主被写体（本明細書においては、合焦した被写体のことを指す）と背景の露出バランスの良い画像を得ること非常に難しかった。
【０００３】
一方、フォトダイオード等の光電変換素子をマトリクス状に配置してなる固体撮像素子に、ＭＯＳＦＥＴ等を備えた対数変換回路を付加し、前記ＭＯＳＦＥＴのサブスレッショルド特性を利用することで、固体撮像素子の出力特性を入射光量に対して電気信号が対数的に変換されるようにした対数変換型撮像素子が知られている（例えば、特許文献１参照）。
【０００４】
また、ＭＯＳＦＥＴに特定のリセット電圧を与えることで、固体撮像素子本来の出力特性、すなわち入射光量に応じて電気信号が線形的に変換されて出力される線形動作状態と、前述の対数動作状態とを自動的に切り替えることが可能とされた線形対数切換型撮像素子が知られている（例えば、特許文献２参照）。さらに、線形動作状態から対数動作状態へ自動的に切り替え可能とすると共に、ＭＯＳＦＥＴのリセット時間を調整することでＭＯＳＦＥＴのポテンシャル状態を調整可能とした撮像装置が開示されている（例えば、特許文献３参照）。
【０００５】
ところで、線形対数切換型撮像素子を線形動作状態で用いた場合、光電変換素子で発生した電荷量に比例した出力が得られることから、低輝度の被写体でも高コントラストな（高い階調性を有した）画像信号が得られる等の利点がある反面、ダイナミックレンジが狭くなってしまうという不都合がある。一方、線形対数切換型撮像素子を対数動作状態で用いた場合、入射光量に対して自然対数的に変換された出力が得られることから、広いダイナミックレンジが確保できるという利点がある反面、画像信号が対数圧縮されることからコントラスト性が悪くなるという不都合がある。
【０００６】
さらに、線形対数切換型撮像素子以外にも、露光量の異なる複数の画面から適正レベルの画面部分を選択して合成することにより、個々の画面よりも広いダイナミックレンジの画像を合成する撮像素子（例えば、特許文献４参照）や、撮像素子の光電変換信号電荷を信号電圧に変換する電荷電圧変換部を持ち、電荷電圧変換部は異なる電圧依存性を有する複数の容量からなり、ダイナミックレンジが可変であるような撮像素子（例えば、特許文献５参照）等も提案されている。
【０００７】
しかし、特許文献４で提案された撮像素子は、露光量の異なる画像から画像処理で画像を合成することから、単純な画像合成では合成の繋ぎ目が不自然で非常に見にくい画像になるため、非常に複雑な画像合成が必須となり、そのためにコストが非常に高くなる。また、特許文献５で提案された撮像素子は、素子構造が複雑で製造コストが高くなり、また容量の電圧依存性の制御も難しく、素子毎の調整等が必要でコストアップの要因となる。
【特許文献１】特開平１１−２９８７９８号公報
【特許文献２】特開２００２−７７７３３号公報
【特許文献３】特開２００２−３００４７６号公報
【特許文献４】特公平７−９７８４１号公報
【特許文献５】特開２０００−１６５７５５号公報
【非特許文献１】コニカミノルタフォトイメージング株式会社：α−７ＤＩＧＩＴＡＬ  カタログ（（http://konicaminolta.jp/products/consumer/digital_camera/catalogue/pdf/a-7digital.pdf）９／９ページ「ＡＥ」の「露出モード」欄；２００５年５月１１日検索）
【発明の開示】
【発明が解決しようとする課題】
【０００８】
特許文献２乃至３に係る撮像素子および撮像装置は、撮像素子を線形動作状態から対数動作状態へ切り替え可能とすることを開示しているに止まる。しかしながら、上述の線形動作状態及び対数動作状態の長所並びに短所に鑑みた場合、単に切り替えさせるだけでなく、それぞれの動作状態が備える長所を積極的に活用して撮像動作を行わせる構成とすることが望ましいと言える。例えば自動露光制御を行う場合においても、ターゲットとなる被写体の輝度と、撮像センサの線形動作状態から対数動作状態への切り替り点とを関連付けてその制御を行えば、専ら各動作状態が備える長所を活用した最適な自動露光制御を行い得る可能性がある。
【０００９】
本発明は、上記事情に鑑みてなされたもので、複数の異なる光電変換特性を有する撮像素子を用いた撮像に際して、ダイナミックレンジを適切に制御することで、主被写体の露出を適正にし、且つ、画像全体の露出も両立させた撮像の可能な撮像装置を提供することを目的とする。
【課題を解決するための手段】
【００１０】
本発明の目的は、下記構成により達成することができる。
【００１１】
（請求項１）
特定の光電変換特性を有する撮像素子と、
複数の測光エリアを有する測光部とを備えた撮像装置において、
主被写体の属する測光エリアの測光情報に基づいて、前記撮像素子の露出の制御を行う露出制御部と、
主被写体の属する測光エリアの測光情報に基づいて、前記撮像素子のダイナミックレンジの制御を行うダイナミックレンジ制御部と、
前記露出制御部に露出を制御させ、前記ダイナミックレンジ制御部にダイナミックレンジを制御させて、前記撮像素子による撮像を行う撮像制御部とを有し、
前記ダイナミックレンジ制御部は、主被写体の属する測光エリアの輝度範囲が線形の光電変換特性となるようにダイナミックレンジを制御することを特徴とする撮像装置。
【００１２】
（請求項２）
前記ダイナミックレンジ制御部は、前記撮像素子の出力が所定の出力を超える場合、画面全体の測光情報に基づいて、画面全体の最大輝度が前記撮像素子の所定の出力となるようにダイナミックレンジを制御することを特徴とする請求項１に記載の撮像装置。
【００１３】
（請求項３）
前記ダイナミックレンジ制御部は、前記撮像素子の出力が所定の出力を超える場合、既定のダイナミックレンジとなるようにダイナミックレンジを制御することを特徴とする請求項１に記載の撮像装置。
【００１４】
（請求項４）
前記特定の光電変換特性を有する撮像素子は、入射光量に応じた電気信号を発生すると共に、前記入射光量に対して電気信号が線形的に変換されて出力される線形特性領域と、前記入射光量に対して電気信号が対数的に変換されて出力される対数特性領域とからなる光電変換特性を有する撮像素子であることを特徴とする請求項１乃至３の何れか１項に記載の撮像装置。
【００１５】
（請求項５）
前記特定の光電変換特性を有する撮像素子は、露光量の異なる複数の画面から適正レベルの画面部分を選択して合成することにより、個々の画面よりも広いダイナミックレンジの画像を合成する撮像素子であることを特徴とする請求項１乃至３の何れか１項に記載の撮像装置。
【００１６】
（請求項６）
前記特定の光電変換特性を有する撮像素子は、前記撮像素子の光電変換信号電荷を信号電圧に変換する電荷電圧変換部を持ち、前記電荷電圧変換部は異なる電圧依存性を有する複数の容量からなり、ダイナミックレンジが可変な撮像素子であることを特徴とする請求項１乃至３の何れか１項に記載の撮像装置。
【発明の効果】
【００１７】
請求項１に記載の発明によれば、主被写体の属する測光エリア全域が線形の光電変換特性となるようにダイナミックレンジを制御して撮像することで、主被写体の露出を適正にし、且つ、画像全体の露出も両立させた撮像の可能な撮像装置を提供することができる。
【００１８】
請求項２に記載の発明によれば、撮像素子の出力（以下、撮像出力と言う）が最大出力を超える場合に、画面全体の最大輝度が撮像素子の最大出力となるようにダイナミックレンジを制御することで、主被写体の露出を略適正にし、且つ、画像全体の露出も両立させた撮像の可能な撮像装置を提供することができる。
【００１９】
請求項３に記載の発明によれば、撮像出力が最大出力を超える場合に、既定のダイナミックレンジとなるようにダイナミックレンジを制御することで、主被写体の露出を略適正にし、且つ、画像全体の露出も両立させた撮像の可能な撮像装置を提供することができる。
【００２０】
請求項４に記載の発明によれば、撮像素子として、入射光量に応じた電気信号を発生すると共に、前記入射光量に対して電気信号が線形的に変換されて出力される線形特性領域と、前記入射光量に対して電気信号が対数的に変換されて出力される対数特性領域とからなる光電変換特性を有する撮像素子を用いることで、主被写体の露出を適正にし、且つ、画像全体の露出も両立させた撮像の可能な撮像装置を提供することができる。
【００２１】
請求項５に記載の発明によれば、撮像素子として、露光量の異なる複数の画面から適正レベルの画面部分を選択して合成することにより、個々の画面よりも広いダイナミックレンジの画像を合成する撮像素子を用いることで、主被写体の露出を適正にし、且つ、画像全体の露出も両立させた撮像の可能な撮像装置を提供することができる。
【００２２】
請求項６に記載の発明によれば、撮像素子として、撮像素子の光電変換信号電荷を信号電圧に変換する電荷電圧変換部を持ち、電荷電圧変換部は異なる電圧依存性を有する複数の容量からなり、ダイナミックレンジが可変であるような撮像素子を用いることで、主被写体の露出を適正にし、且つ、画像全体の露出も両立させた撮像の可能な撮像装置を提供することができる。
【発明を実施するための最良の形態】
【００２３】
以下、図面に基づき本発明の実施の形態を説明する。
【００２４】
図１は、本発明に係る撮像装置の一例であるデジタルカメラ１の外観模式図で、図１（ａ）は正面図、図１（ｂ）は背面図である。
【００２５】
ボディ１０の正面には、交換レンズ２０が取り付けれられている。
【００２６】
ボディ１０の上面には、撮像のための操作部材であるレリーズボタン１０１が設置されており、ボディ１０の内部でレリーズボタン１０１の下部には、レリーズボタン１０１の押し込みの１段目で動作するＡＦ／ＡＥスイッチ１０１ａと、レリーズボタンの押し込みの２段目で動作するレリーズスイッチ１０１ｂを構成する２段スイッチが配置されている。また、ボディ１０の上部には、フラッシュ１０２が内蔵され、デジタルカメラ１の動作モードを設定するモード設定ダイアル１１２が配置されている。
【００２７】
ボディ１０の背面には、デジタルカメラ１の電源をオン／オフするための電源スイッチ１１１、上下左右と中央の５つのスイッチから成り、デジタルカメラ１の各動作モードでの各種設定を行うためのジョグダイアル１１５、ファインダ接眼レンズ１２１ａ、記録された画像を表示するための画像モニタ１３１が配置されている。
【００２８】
図２は、図１に示したデジタルカメラ１の回路の一例を示すブロック図である。図中、図１と同じ部分には同じ番号を付与した。
【００２９】
デジタルカメラ１の制御部であるカメラ制御部１５０は、ＣＰＵ（中央処理装置）１５１、ワークメモリ１５２、記憶部１５３等から構成され、記憶部１５３に記憶されているプログラムをワークメモリ１５２に読み出し、当該プログラムに従ってデジタルカメラ１の各部を集中制御する。また、カメラ制御部１５０は、電源スイッチ１１１、モード設定ダイアル１１２、ジョグダイアル１１５、ＡＦ／ＡＥスイッチ１０１ａ、レリーズスイッチ１０１ｂ等からの入力を受信し、光学ファインダ１２１上の測光モジュール１２２と交信することで測光動作を制御し、ＡＦモジュール１４４と交信することでＡＦ動作を制御し、ミラー駆動部１４３を介してレフレックスミラー１４１及びサブミラー１４２を駆動し、シャッタ駆動部１４６を介してシャッタ１４５を制御し、フラッシュ制御部１４７を介してフラッシュ１０２を制御し、撮像制御部１６１と交信することで撮像動作を制御すると共に、撮像された画像データや各種情報を画像モニタ１３１に表示し、インファインダ表示部１３２に各種情報を表示する。
【００３０】
さらに、カメラ制御部１５０は、ボディ１０と交換レンズ２０の間の交信部として機能する、マウント（ボディ側）１７１上に設けられたＢＬ交信部（ボディ側）１７２と、マウント（レンズ側）２７１上に設けられたＢＬ交信部（レンズ側）２７２を介して、交換レンズ２０のレンズインターフェース２５１経由で、レンズ２１１のフォーカスとズームを制御するレンズ制御部２４１、絞り２２１の制御を行う絞り制御部２２２、交換レンズ２０の固有情報を格納しているレンズ情報記憶部２３１と交信を行うことで、交換レンズ２０全体を制御する。
【００３１】
交換レンズ２０のレンズ２１１によって結像される画像は、撮像素子１６２で光電変換された後、アンプ１６３で増幅され、アナログ／デジタル（Ａ／Ｄ）変換器１６４でデジタルデータに変換され、画像処理部１６５で既定の画像処理を施したデジタル画像データに変換され、一旦画像メモリ１８１に記録された後、最終的にはメモリカード１８２に記録される。これらの動作は、カメラ制御部１５０の制御下で、撮像制御部１６１によって制御される。
【００３２】
次に、本発明の実施の形態における測光エリアの一例について図３を用いて説明する。図３（ａ）は、撮像素子の撮像範囲と、測光モジュールの測光素子の測光エリアとＡＦモジュールのＡＦエリアとを被写界上で光学的に重ね合わせた模式図である。
【００３３】
測光モジュール１２２の測光素子１２２ａは、撮像素子１６２の撮像範囲１６２ｚの内側のほぼ全域をにらむ測光エリアＡ０と、その内側を複数（ここでは１３個）に分割して測光する測光エリアＡ１からＡ１３との、合計１４の測光エリアからなる。このように、撮像素子の画素よりも大きな面積を持つ測光エリアを撮像素子の画素数よりも少ない数だけ有する測光のための専用の素子を設けて測光を行うことで、撮像素子の出力そのものを用いて測光を行う場合に比べて高速かつ容易に実用上十分な精度の測光を行うことができる。
【００３４】
一方、ＡＦエリアは、被写界の中央をにらむＡＦエリア１４４Ｃと、左右をにらむＡＦエリア１４４Ｌおよび１４４Ｒの３つのＡＦエリアからなる。
【００３５】
カメラ制御部１５０は、ＡＦモジュール１４４から出力されるこれら３つのＡＦエリアのＡＦデータに基づき主被写体の位置を判断し、レンズ制御部２４１を介してレンズ２１１を駆動し、主被写体にピントを合わせる。ここに、ＡＦモジュール１４４、カメラ制御部１５０と、レンズ制御部２４１は、本発明におけるＡＦ部として機能する。
【００３６】
本実施の形態においては、１３分割された測光エリアを、左（Ｌ）エリアと中央（Ｃ）エリアと右（Ｒ）エリアの３つの測光エリアに分類し、上述のＡＦ動作によって判断された主被写体の位置により、３つの測光エリアから主被写体の属する測光エリアを決定する。左エリアは、図３（ｂ）に示すＡ１，Ａ２，Ａ５，Ａ６，Ａ７，Ａ１０，Ａ１１の７つのエリア、中央エリアは、図３（ｃ）に示すＡ２、Ａ３，Ａ６，Ａ７，Ａ８，Ａ１１，Ａ１２の７つのエリア、右エリアは、図３（ｄ）に示すＡ３，Ａ４，Ａ７，Ａ８，Ａ９，Ａ１２，Ａ１３の７つのエリアで構成される。
【００３７】
上述の説明では、３つのＡＦエリアと１４の測光エリアを持ち、ＡＦ動作によって判断された主被写体の位置によって測光エリアを３つに分類するとして説明したが、もちろんＡＦエリア、測光エリアともにこの例に限るものではなく、本発明の趣旨に反しない限り構成は自由に変更可能である。また、主被写体の属する測光エリアの決定は、ＡＦ動作によって決定されるに限定されるものではなく、例えば撮影者が手動で選択する等の方法で決定されてもよい。
【００３８】
次に、本発明の実施の形態における露出とダイナミックレンジの制御について、図４を用いて説明する。図４は、露出とダイナミックレンジの制御のためのカメラ制御部１５０内の回路の一例を示すブロック図である。
【００３９】
上述のように、ＡＦモジュール１４４の３つのＡＦエリアのＡＦデータ１４４ａが、カメラ制御部１５０の主被写体エリア検出部１５０ｂに入力される。測光モジュール１２２の１４個の測光データ１２２ａも同様に主被写体エリア検出部１５０ｂに入力される。また、記憶部１５３に記憶されている設定絞り値や撮像素子１６２のＩＳＯ感度等の露出に関する設定内容データ１５３ｄも主被写体エリア検出部１５０ｂに入力される。
【００４０】
主被写体エリア検出部１５０ｂは、３つのＡＦエリアのＡＦデータ１４４ａと、必要に応じて１４個の測光データ１２２ａも用いて、既定のアルゴリズムにより主被写体の存在するＡＦエリアを決定し、主被写体エリアデータ１５０ｇとして出力し、主被写体エリアデータ１５０ｇは、露光条件設定部１５０ｃ、主被写体エリア最大輝度算出部１５０ｅおよび全エリア最大輝度算出部１５０ｆに入力される。
【００４１】
一方、測光モジュール１２２の１４個の測光データ１２２ａも、露光条件設定部１５０ｃ、主被写体エリア最大輝度算出部１５０ｅおよび全エリア最大輝度算出部１５０ｆに入力される。
【００４２】
露光条件設定部１５０ｃは、主被写体エリアデータ１５０ｇと測光データ１２２ａとから、既定のアルゴリズムにより、絞り２２１とシャッタ１４５の制御値を決定し、絞り制御部１５０ａとシャッタ制御部１５０ｓを介して絞り制御手段２２２およびシャッタ制御手段１４６に出力するとともに、露光条件出力１５０ｈをＤレンジ設定部１５０ｄに出力する。
【００４３】
主被写体エリア最大輝度算出部１５０ｅは、主被写体エリアデータ１５０ｇと測光データ１２２ａとから、主被写体の属する測光エリアを決定し、決定された測光エリアに属する７つの測光エリアの測光データから、図８で後述する演算により主被写体の属するエリアの最大輝度を算出し、主被写体エリア最大輝度値１５０ｉとしてＤレンジ設定部１５０ｄに出力する。
【００４４】
全エリア最大輝度算出部１５０ｆは、主被写体エリアデータ１５０ｇと測光データ１２２ａとから、図８で後述する方法と同様の方法で全エリアの最大輝度を算出し、全エリア最大輝度値１５０ｊとしてＤレンジ設定部１５０ｄに出力する。
【００４５】
Ｄレンジ設定部１５０ｄは、露光条件出力１５０ｈ、主被写体エリア最大輝度値１５０ｉおよび全エリア最大輝度値１５０ｊから、図７に後述する方法でＤレンジを設定し、Ｄレンジ出力１５０ｋとして撮像制御部１６１に出力する。
【００４６】
続いて、本発明に係る撮像装置の一例であるデジタルカメラ１における撮像制御について説明する。図５乃至図７（ａ）は、本発明における撮像制御の実施の形態の動作の流れを示すフローチャートであり、図５がメインルーチン、図６および図７（ａ）がサブルーチンである。図７（ｂ）および（ｃ）は、図７（ａ）の説明のための、撮像素子１６２の光電変換特性のグラフの模式図である。
【００４７】
図５で、ステップＳ１０１で電源スイッチ１１１が操作されてカメラ電源が投入されると、ステップＳ１１１で、モード設定ダイアル１１２で設定されているデジタルカメラ１の動作モードが確認される。カメラモードに設定されている場合（ステップＳ１１１；ＹＥＳ）は、ステップＳ１２１に進む。カメラモード以外（例えば、画像再生モード等）に設定されている場合（ステップＳ１１１；ＮＯ）は、設定に従った各モードの制御に移行する。説明は省略する。
【００４８】
ステップＳ１２１で、デジタルカメラ１のカメラモードでの露出モードと、その設定内容１５３ｄを読み込む。ここで言う露出モードとは、前述のプログラムＡＥモードや絞り優先ＡＥモード、シャッター速度優先ＡＥモード等のことを指し、設定内容１５３ｄとは、各露出モードでの露出演算に必要な設定値（例えば、絞り優先ＡＥモードでの設定絞り値や、撮像素子の設定ＩＳＯ感度等）を指す。
【００４９】
ステップＳ１２２で、レリーズボタン１０１が操作されて、ＡＦ／ＡＥスイッチ１０１ａがオンされたかどうかが確認される。オンされるまで、ステップＳ１２２で待機する。オンされたら（ステップＳ１２２；ＹＥＳ）、ステップＳ１３１でＡＦ動作が行われて、主被写体に合焦されるとともに、主被写体の存在するＡＦエリア、つまり主被写体の属する測光エリアが特定される。
【００５０】
ステップＳ１３２で、測光モジュール１２２を用いて複数エリアの測光が行われ、ステップＳ１３３で、ステップＳ１３２の測光結果とステップＳ１３１で決定された主被写体の属する測光エリアから、図６に示すサブルーチンで、露出条件、すなわち交換レンズ２０の絞り２２１の絞り値と、シャッタ１４５のシャッタ速度（あるいは、撮像素子１６２の電子シャッタ露出時間）が設定される。
【００５１】
ステップＳ１３４で、ステップＳ１３３で設定された露出条件に合わせて、図７に示すサブルーチンによって、撮像のダイナミックレンジが設定される。ステップＳ１３５で、レリーズボタン１０１が操作されて、レリーズスイッチ１０１ｂがオンされたかどうかが確認される。オンされるまで、ステップＳ１２２からステップＳ１３５の動作の流れが繰り返される。
【００５２】
レリーズスイッチ１０１ｂがオンされたら（ステップＳ１３５；ＹＥＳ）、ステップＳ１４１で、ステップＳ１３３で設定された絞り値に従って絞り２２１が駆動され、ステップＳ１４２でシャッタ１４５が開かれ、ステップＳ１４３で、ステップＳ１３４で設定されたダイナミックレンジに従って撮像が行われ、ステップＳ１４４で、ステップＳ１３３で設定されたシャッタ速度に従ってシャッタ１４５が閉じられ、ステップＳ１４５で、撮像された画像と画像の付属情報（例えば、絞り値、シャッタ速度、ダイナミックレンジ設定値情報等）が、画像メモリ１８１に一旦記録され、ステップＳ１４６で、画像メモリ１８１に記録された画像がメモリカード１８２に記録される。
【００５３】
ステップＳ１４７で撮像を終了するかどうかが確認され、終了する場合（ステップＳ１４７；ＹＥＳ）は、そのまま終了する。撮像を終了しない場合（ステップＳ１４７；ＮＯ）は、ステップＳ１１１に戻って、モード設定ダイアル１１２で設定されているデジタルカメラ１の動作モードが確認され、以降、上述の動作の流れを繰り返す。
【００５４】
図６は、図５のステップＳ１３３の「露出条件設定」のサブルーチンである。ステップＳ３０１で、図５のステップＳ１３１のＡＦ動作で特定された主被写体の属する測光エリアが左（Ｌ）エリアかどうかが判断される。左エリアでない場合（ステップＳ３０１；ＮＯ）、ステップＳ３２１で主被写体の属する測光エリアが中央（Ｃ）エリアかどうかが判断される。中央エリアでない場合（ステップＳ３２１；ＮＯ）は、残る右（Ｒ）エリアが主被写体の属するエリアであると判断される。いずれのエリアと判断された場合も、ステップＳ３０２またはＳ３２２、あるいはＳ３３１で、図５のステップＳ１３２の測光結果から主被写体の属する測光エリアの最大輝度値ＢＬｍａｘが算出され、ステップＳ３１１で、図５のステップＳ１３２の測光結果から主被写体の属する測光エリアを含む全測光エリアの最大輝度値Ｂｍａｘが算出される。最大輝度の算出方法については、図８で後述する。
【００５５】
ステップＳ３１２で、ステップＳ３０２またはＳ３２２、あるいはＳ３３１で演算された主被写体の属する測光エリアの最大輝度値ＢＬｍａｘと、ステップＳ１２１で読み込まれた露出モードと露出に関する設定内容とから、いわゆるＡＰＥＸ（Ａｄｄｉｔｉｖｅ  ｓｙｓｔｅｍ  ｏｆ  Ｐｈｏｔｏｇｒａｐｈｉｃ  ＥＸｐｏｓｕｒｅ）演算でＥｖ（Ｅｘｐｏｓｕｒｅ  ｖａｌｕｅ）値を算出し、ステップＳ３１３で、ステップＳ３１２で算出されたＥｖ値から、絞り２２１の絞り値とシャッタ１４５のシャッタ速度（あるいは、撮像素子１６２の電子シャッタ露出時間）が決定され、メインルーチンに戻る。
【００５６】
図７（ａ）は、図５のステップＳ１３４の「ダイナミックレンジ設定」のサブルーチンである。ステップＳ４０１で、図６のステップＳ３０２（あるいは、ステップＳ３２２、Ｓ３３１）で算出された主被写体の属する測光エリアの最大輝度値ＢＬｍａｘと、ステップＳ３１３で決定された絞り２２１の絞り値とシャッタ１４５のシャッタ速度から、撮像素子１６２の光電変換特性が線形特性であるとした場合の、主被写体の属する測光エリアの最大輝度値ＢＬｍａｘが撮像素子１６２に入射した場合の撮像出力ＶＬｏｕｔを算出する。これは、例えば、基準輝度の光が入射したときの線形特性の撮像出力を事前に測定して（例えば、記憶部１５３に）記憶しておくことで簡単に演算できる。
【００５７】
次に、ステップＳ４０２で、ステップＳ４０１で算出された、主被写体の属する測光エリアの最大輝度値ＢＬｍａｘが撮像素子１６２に入射した場合の線形特性の撮像出力ＶＬｏｕｔが、撮像素子１６２の撮像出力の最大値Ｖｍａｘ以下かどうかが判断される。最大値Ｖｍａｘ以下の場合（ステップＳ４０２；ＹＥＳ）は、主被写体の属する測光エリアの輝度範囲全てを線形特性で撮像可能ということであるから、ステップＳ４０３で、図７（ｂ）に示すように、主被写体の属する測光エリアの最大輝度値ＢＬｍａｘに相当する撮像出力ＶＬｏｕｔを、線形特性と対数特性の変曲点Ｖｔｈとして設定し、ステップＳ４０４で、撮像出力ＶＬｏｕｔを変曲点とするダイナミックレンジの制御値を設定してメインルーチンに戻る。
【００５８】
ステップＳ４０２で、ステップＳ４０１で算出された、主被写体の属する測光エリアの最大輝度値ＢＬｍａｘが撮像素子１６２に入射した場合の線形特性の撮像出力ＶＬｏｕｔが、撮像素子１６２の撮像出力の最大値Ｖｍａｘ以下でないと判断された場合（ステップＳ４０２；ＮＯ）は、ステップＳ４１１で、図７（ｃ）に示したように、ステップＳ３１１で算出された主被写体の属する測光エリアを含む全測光エリアの最大輝度値Ｂｍａｘが、撮像素子１６２の撮像出力の最大値Ｖｍａｘとなるように線形特性と対数特性の変曲点を設定して、ステップＳ４０４でダイナミックレンジの制御値を設定してメインルーチンに戻る。
【００５９】
本実施の形態では、ステップＳ４１１ではステップＳ３１１で算出された主被写体の属する測光エリアを含む全測光エリアの最大輝度値Ｂｍａｘが、撮像素子１６２の撮像出力の最大値Ｖｍａｘとなるように線形特性と対数特性の変曲点を設定したが、その代わりに、線形特性と対数特性の変曲点を、例えば記憶部１５３に事前に記憶された既定の変曲点に設定してもよい。この場合、変曲点を算出するための演算が不要となり、ダイナミックレンジ設定の時間短縮に寄与する。
【００６０】
また、本実施の形態では、主被写体の属する測光エリアの最大輝度値ＢＬｍａｘが撮像素子１６２に入射した場合の線形特性の撮像出力ＶＬｏｕｔが、撮像素子１６２の撮像出力の最大値Ｖｍａｘ以下かどうかを判断するとしたが、判断基準は撮像素子１６２の撮像出力の最大値Ｖｍａｘに限定されるものではなく、例えば、既定値であってもよいし、撮影者が指定した値であってもよい。
【００６１】
いずれにしても、このような制御を行うことにより、測光のための専用の測光素子を用いて測光を行うことに起因して変曲点出力Ｖｔｈが撮像素子の撮像出力の最大値Ｖｍａｘを超えるような値に設定されるということが防止され、適正な露出制御を損なうことなく専用の測光素子を用いるメリットを活かすことができる。
【００６２】
図８（ａ）は、図６のステップＳ３０２での最大輝度ＢＬｍａｘの算出方法を示すフローチャートで、図８（ｂ）は、算出方法を示す模式図である。ステップＳ３０２１で、左（Ｌ）エリアに属する７つの測光エリア（Ａ１，Ａ２，Ａ５，Ａ６，Ａ７，Ａ１０，Ａ１１）の測光値を読み込む。７つの測光値が例えば図８（ｂ）の矢印のような分布をしていたとして、ステップＳ３０２２で、これらの７つの測光データが正規分布をしていると仮定して、その平均値（Ｘ）と標準偏差（σ）を算出し、ステップＳ３０２３で左（Ｌ）エリアの最大輝度ＢＬｍａｘ（＝Ｘ＋３×σ）を算出し、図６のサブルーチンに戻る。
【００６３】
ステップＳ３２２およびＳ３３１でも同様の方法で各エリアの最大輝度ＢＬｍａｘを算出することができるし、ステップＳ３１１の全エリアの最大輝度Ｂｍａｘの算出も、１４個のデータを用いて同様の演算を行えばよい。尚、ここでは、正規分布の場合、３×σで分布の９９．７４％が含まれるので、最大輝度ＢＬｍａｘの算出式としてＸ＋３×σを用いるとしたが、４×σ、あるいは５×σ等のより確実に分布の全てのデータが含まれるような条件で算出しても良い。また、ここでは、各エリアの測光値を同等に扱っているが、エリアによって測光値に重み付けを行って演算しても良い。
【００６４】
次に、本発明における、線形特性領域と対数特性領域とからなる光電変換特性を有する撮像素子１６２の第１の例について、図９乃至図１１を用いて説明する。
【００６５】
図９は、撮像素子１６２の内部構成を示すブロック図である。図中、図２と同じ部分には同じ番号を付与した。撮像素子１６２上には、画素１６２ａが２次元的に配列されている。垂直走査回路１６２ｂによって選択された水平行の画素１６２ａの撮像出力ＶＰは、垂直信号線１６２ｇに出力され、サンプルホールド回路１６２ｃに１行分同時にホールドされ、水平走査回路１６２ｅの走査により、出力回路１６２ｄから画像出力３０７として順次出力され、アンプ１６３に入力される。撮像素子１６２の各動作は、撮像制御部１６１からの撮像制御信号１６１ａに従って、タイミングジェネレータ（ＴＧ）１６２ｆにより制御される。
【００６６】
図１０は、撮像素子１６２を構成する、線形特性領域と対数特性領域とからなる光電変換特性を有する画素１６２ａの回路の第１の例を示す回路図である。
【００６７】
画素１６２ａは、フォトダイオードＰＤ、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）としてのトランジスタＴ１〜Ｔ６、及び積分用のコンデンサとしてのキャパシタＣから構成されている。トランジスタＴ１〜Ｔ６は、本例ではＰチャンネルＭＯＳＦＥＴが採用されている。φＶＤ、φＶ、φＶＰＳ、φＲＳＴ、φＳ及びＲＳＢは、各トランジスタやキャパシタＣに対する信号（電圧）を示し、ＧＮＤは接地を示している。
【００６８】
フォトダイオードＰＤは光電変換部であり、被写体からの入射光量に応じた光電流ＩＰＤを出力する。
【００６９】
トランジスタＴ１は、トランジスタＴ２の製造バラツキに起因して発生する画素間の誤差成分を示す画素バラツキ信号を取り出す際に用いるスイッチであり、通常はオン状態とされており、トランジスタＴ２とフォトダイオードＰＤ間に光電流ＩＰＤが流れるようになっている。画素バラツキ信号を取り出す際には、トランジスタＴ１がオフ状態となりフォトダイオードＰＤの光電流ＩＰＤが遮断され、前記の画素バラツキ信号だけが取り出される。
【００７０】
トランジスタＴ２は、ゲートとドレインが接続されており、ＭＯＳＦＥＴにおけるサブスレッショルド特性（ゲート電圧が閾値以下の時に、サブスレッショルド電流と呼ばれる微小電流が流れる特性）を利用して、同トランジスタのゲートに、光電流ＩＰＤに対して線形変換又は対数変換した電圧を発生させる働きをする。
【００７１】
具体的には、撮像される被写体が暗い場合、すなわち、フォトダイオードＰＤに入射される入射光量が少ない場合には、トランジスタＴ２のゲート電位が同トランジスタのソース電位より高くなっているために、トランジスタＴ２が所謂カットオフ状態であり、トランジスタＴ２にサブスレッショルド電流が流れず、フォトダイオードＰＤで発生する光電流ＩＰＤがフォトダイオードＰＤの寄生容量ＣＰＤに流れて光電流ＩＰＤが積分され、積分電荷量に応じた電圧が発生する。
【００７２】
このときＴ１はオンされているので、寄生容量ＣＰＤに積分された光電流ＩＰＤに応じた電圧が、ゲート電位ＶＧとしてトランジスタＴ２、Ｔ３のゲートに発生する。このゲート電位ＶＧにより、トランジスタＴ３に電流が流れ、このゲート電位ＶＧに比例した量の電荷がキャパシタＣに蓄積される（トランジスタＴ３とキャパシタＣとで積分回路を構成している）。そして、トランジスタＴ３とキャパシタＣとの接続ノードａ、すなわち出力ＶＯＵＴには、光電流ＩＰＤの積分値に対して線形的に比例した電圧が現れる。これが本撮像素子１６２の、線形特性領域における動作である。
【００７３】
一方、撮像される被写体が明るく、フォトダイオードＰＤに入射される入射光量が多い場合には、トランジスタＴ２のゲート電位ＶＧが同トランジスタのソース電位以下となり、トランジスタＴ２がサブスレッショルド領域で動作するためにサブスレッショルド電流が流れ、光電流ＩＰＤを自然対数的に変換した値のゲート電位ＶＧがトランジスタＴ２、Ｔ３のゲートに発生する。そして、このゲート電位ＶＧにより、トランジスタＴ３に電流が流れ、キャパシタＣに、光電流ＩＰＤの積分値を自然対数的に変換した値と同等の電荷が蓄積される。これにより、キャパシタＣとトランジスタＴ３との接続ノードａ（出力ＶＯＵＴ）には、光電流ＩＰＤの積分値を自然対数的に変換した値に比例した電圧が生じる。これが本撮像素子１６２の、対数特性領域における動作である。
【００７４】
上述したように、画素１６２ａの動作が線形特性となるか対数特性となるかは、トランジスタＴ２のゲート電位ＶＧとソース電位φＶＰＳの高低の関係によって決まる。ゲート電位ＶＧは上述のように光電流ＩＰＤによって決まるので、ソース電位φＶＰＳを制御することで線形特性と対数特性の切り替わる点（変曲点）を制御することができる。
【００７５】
以上のように、被写体の明るさ、すなわち入射光量に応じて、各画素毎に、光電流ＩＰＤの積分値に線形的又は自然対数的に比例した電圧が発生される。
【００７６】
トランジスタＴ４は、キャパシタＣをリセットするためのトランジスタであり、該トランジスタＴ４のゲートに印加される電圧φＲＳＴに応じてオン、オフされるスイッチとして動作する。トランジスタＴ４がオンされると、キャパシタＣにリセット電圧ＲＳＢが印加され、蓄積されていた電荷が積分開始前の状態に戻される。
【００７７】
トランジスタＴ５は、ソースフォロワ増幅回路を構成するものであり、前述した出力ＶＯＵＴに対する電流増幅を行うことで、出力インピーダンスを下げる働きをする。
【００７８】
トランジスタＴ６は、信号読み出し用のトランジスタであり、ゲートに印加される電圧φＶに応じてオン、オフされるスイッチとして動作する。トランジスタＴ６のソースは、出力信号線１６２ｇに接続されており、トランジスタＴ６がオンされると、トランジスタＴ５で電流増幅されて低インピーダンス化された撮像出力ＶＰを、出力信号線１６２ｇへ導出する。
【００７９】
図１１は、図１０に示した画素１６２ａの回路の光電変換特性を示すグラフである。横軸には、被写体輝度Ｂを対数軸でとってあり、縦軸には撮像出力ＶＰを線形軸でとってある。上述したように、図１０のトランジスタＴ２のソース電圧φＶＰＳの制御によって、図１１の特性４０１に示すような対数特性から、特性４０２に示す線形特性までを切り換えることが可能である。特性４０３は、被写体輝度が低輝度の場合は特性４０２と同じ線形特性、被写体輝度が高輝度の場合は特性４０１と同じ対数特性を示す線形／対数特性（リニア／ログ特性とも言う）であり、線形特性と対数特性の切り替わり点４０４は、上述のトランジスタＴ２のソース電位φＶＰＳの制御によって任意に設定が可能である。
【００８０】
次に、本発明における、線形特性領域と対数特性領域とからなる光電変換特性を有する撮像素子１６２の第２の例について、図１２を用いて説明する。図１２は、撮像素子１６２を構成する、線形特性領域と対数特性領域とからなる光電変換特性を有する画素１６２ａの回路の第２の例を示す回路図である。
【００８１】
画素１６２ａは、埋め込み型フォトダイオードＰＤ１０、ＮチャンネルＭＯＳＦＥＴとしてのトランジスタＴ１１〜Ｔ１４から構成されている。トランジスタＴ１１のドレインとＴ１２のソースの接続部は、フローティングディフュージョンＦＤで構成されている。φＲＳＢ、φＲＳＴ、φＴＸ、φＶは、各トランジスタに対する信号（電圧）を示し、ＶＤＤは電源、ＧＮＤは接地を示している。
【００８２】
埋め込み型フォトダイオードＰＤ１０は光電変換部であり、被写体からの入射光量に応じた光電流ＩＰＤを発生する。埋め込み型フォトダイオードＰＤ１０は、光電変換された光電流を直接取り出せないため、転送ゲートとフローティングディフュージョンと呼ばれる取り出し部を介して出力する。
【００８３】
トランジスタＴ１１は転送ゲートと呼ばれ、埋め込み型フォトダイオードＰＤ１０によって光電変換された光電荷をフローティングディフュージョンＦＤに転送するための素子であり、通常はオン状態とされており、トランジスタＴ１２と埋め込み型フォトダイオードＰＤ１０間に光電流ＩＰＤが流れるようになっている。
【００８４】
トランジスタＴ１２は、リセットゲートと呼ばれ、埋め込み型フォトダイオードＰＤ１０およびフローティングディフュージョンＦＤを高電位にリセットする働きと、ＭＯＳＦＥＴにおけるサブスレッショルド特性（ゲート電圧が閾値以下の時に、サブスレッショルド電流と呼ばれる微小電流が流れる特性）を利用して、同トランジスタのソースに、光電流ＩＰＤに対して線形変換又は対数変換した電圧を発生させる働きをする。
【００８５】
具体的には、撮像される被写体が暗い場合、すなわち、埋め込み型フォトダイオードＰＤ１０に入射される入射光量が少ない場合には、リセット動作によりトランジスタＴ１２のゲート電位が同トランジスタのソース電位より低くなっているために、トランジスタＴ１２が所謂カットオフ状態であり、トランジスタＴ１２にサブスレッショルド電流が流れず、埋め込み型フォトダイオードＰＤ１０で発生する光電流ＩＰＤが、高電位にリセットされた埋め込み型フォトダイオードＰＤ１０の寄生容量ＣＰＤ１０を放電することで光電流ＩＰＤが積分され、積分電荷量に応じた電圧ＶＦＤがフローティングディフュージョンＦＤに発生する。これが線形特性領域における動作である。
【００８６】
一方、撮像される被写体が明るく、埋め込み型フォトダイオードＰＤ１０に入射される入射光量が多い場合には、トランジスタＴ１２のゲート電位が同トランジスタのソース電位以上となり、トランジスタＴ１２がサブスレッショルド領域で動作するためにサブスレッショルド電流が流れ、光電流ＩＰＤを自然対数的に変換した電圧ＶＦＤがフローティングディフュージョンＦＤに発生する。これが対数特性領域における動作である。本第２の例では、図１０に示した第１の例のように積分用キャパシタＣを持っていないため、対数特性領域での出力ＶＦＤは、光電流ＩＰＤの積分値を対数変換したものではなく、その瞬間での光電流ＩＰＤの対数変換値となる。
【００８７】
上述したように、画素１６２ａの動作が線形特性となるか対数特性となるかは、トランジスタＴ１２のゲート電位とソース電位の高低の関係によって決まる。従って、ゲート電位φＲＳＴを適切に制御することで線形特性と対数特性の切り替わる点（変曲点）を制御することができる。
【００８８】
トランジスタＴ１３は、ソースフォロワ増幅回路を構成するものであり、前述した出力ＶＦＤに対する電流増幅を行うことで、出力インピーダンスを下げる働きをする。
【００８９】
トランジスタＴ１４は、信号読み出し用のトランジスタであり、ゲートに印加される電圧φＶに応じてオン、オフされるスイッチとして動作する。トランジスタＴ１４のソースは、出力信号線１６２ｇに接続されており、トランジスタＴ１４がオンされると、トランジスタＴ１３で電流増幅されて低インピーダンス化された撮像出力ＶＰを、出力信号線１６２ｇへ導出する。
【００９０】
本第２の例においても、図１０の第１の例の回路のφＶＰＳの制御の代わりに、トランジスタＴ１２のゲート電位φＲＳＴを適切に制御することで、図１１の光電変換特性を得ることができる。
【００９１】
また、その他に、特許文献４に代表される、露光量の異なる複数の画面から適正レベルの画面部分を選択して合成することにより、個々の画面よりも広いダイナミックレンジの画像を合成する撮像素子や、特許文献５に代表される、撮像素子の光電変換信号電荷を信号電圧に変換する電荷電圧変換部を持ち、電荷電圧変換部は異なる電圧依存性を有する複数の容量からなり、ダイナミックレンジが可変である撮像素子等の対数変換型以外の広ダイナミックレンジ撮像素子を用いた撮像装置に対しても、本発明は適用可能である。
【００９２】
以上に述べたように、本発明によれば、複数の異なる光電変換特性を有する撮像素子を用いた撮像に際して、ＡＦ情報と測光情報を基に、撮像素子のダイナミックレンジを適切に制御することで、主被写体の露出を適正にし、且つ、画像全体の露出も両立させた撮像の可能な撮像装置を提供することができる。
【００９３】
尚、本発明に係る撮像装置を構成する各構成の細部構成および細部動作に関しては、本発明の趣旨を逸脱することのない範囲で適宜変更可能である。
【図面の簡単な説明】
【００９４】
【図１】本発明に係る撮像装置の一例であるデジタルカメラの外観模式図である。
【図２】図１に示したデジタルカメラの回路の一例を示すブロック図である。
【図３】本発明における測光エリアの一例を表す模式図である。
【図４】露出とダイナミックレンジの制御のためのカメラ制御部の回路の一例を示すブロック図である。
【図５】本発明における撮像制御の動作の流れを示すフローチャートのメインルーチンである。
【図６】本発明における撮像制御の動作の流れを示すフローチャートのサブルーチン（１／３）である。
【図７】図７（ａ）は、本発明における撮像制御の動作の流れを示すフローチャートのサブルーチン（２／３）であり、図７（ｂ）および（ｃ）は、図７（ａ）の説明のための撮像素子の光電変換特性の模式図である。
【図８】図８（ａ）は、本発明における撮像制御の動作の流れを示すフローチャートのサブルーチン（３／３）であり、図８（ｂ）は、図８（ａ）の説明のための測光輝度分布の模式図である。
【図９】本発明に係る撮像装置に用いられる撮像素子の内部構成を示すブロック図である。
【図１０】線形特性領域と対数特性領域とからなる光電変換特性を有する画素回路の第１の例を示す回路図である。
【図１１】図１０に示した画素回路の光電変換特性を示す模式図である。
【図１２】線形特性領域と対数特性領域とからなる光電変換特性を有する画素回路の第２の例を示す回路図である。
【符号の説明】
【００９５】
１  デジタルカメラ
１０  ボディ
２０  交換レンズ
１０１  レリーズボタン
１０１ａ  ＡＦ／ＡＥスイッチ
１０１ｂ  レリーズスイッチ
１０２  フラッシュ
１１１  電源スイッチ
１１２  モード設定ダイアル
１１５  ジョグダイアル
１２１  ファインダ
１２１ａ  ファインダ接眼レンズ
１２２  測光モジュール
１３１  画像モニタ
１３２  インファインダ表示部
１４１  レフレックスミラー
１４２  サブミラー
１４３  ミラー駆動部
１４４  ＡＦモジュール
１４５  シャッタ
１４６  シャッタ制御手段
１４７  フラッシュ制御部
１５０  カメラ制御部
１５１  ＣＰＵ（中央処理装置）
１５２  ワークメモリ
１５３  記憶部
１６１  撮像制御部
１６２  撮像素子
１６３  アンプ
１６４  アナログ／デジタル（Ａ／Ｄ）変換器
１６５  画像処理部
１７１  マウント（ボディ側）
１７２  ＢＬ交信部（ボディ側）
１８１  画像メモリ
１８２  メモリカード
２１１  レンズ
２２１  絞り
２２２  絞り制御部
２３１  レンズ情報記憶部
２４１  レンズ制御手段
２５１  レンズインターフェース
２７１  マウント（レンズ側）
２７２  ＢＬ交信部（レンズ側）
【図１】
2006352534.tif 000003
【図２】
2006352534.tif 000004
【図３】
2006352534.tif 000005
【図４】
2006352534.tif 000006
【図５】
2006352534.tif 000007
【図６】
2006352534.tif 000008
【図７】
2006352534.tif 000009
【図８】
2006352534.tif 000010
【図９】
2006352534.tif 000011
【図１０】
2006352534.tif 000012
【図１１】
2006352534.tif 000013
【図１２】
2006352534.tif 000014